(57)【要約】【課題】取り付け、取り外しが可能なＡＣコードを接続するための接続器であるＡＣインレットが組み込まれた充電器において、ＡＣインレットが搭載されている回路基板は一般的に外装ケースのボスやリブにより固定されている。そのため製品が使用される際、ＡＣコードが接続される時にＡＣインレットがこじり等により応力が加わった場合、またはＡＣコード接続中に外的要因によってＡＣインレットに強い応力が加わった場合、半田付け部にはストレスがかかり、導通接続が不十分となった場合は、安全性、信頼性が低下しうる課題を解決することを目的とする。【解決手段】ケース内に各種電子部品を組み込んだ回路基板とケース開口部から一部表出するＡＣインレットを設けた電子機器において、上記ＡＣインレットを外力によって可動できるように弾力的に取り付けた充電器。【選択図】図１
2008177104.tif 000002
【特許請求の範囲】
【請求項１】
ケース内に各種電子部品を組み込んだ回路基板と、ケース開口部から一部表出するＡＣインレットを備え、前記ＡＣインレットを外力によって可動できるように弾力的に取り付けたことを特徴とする充電器。
【請求項２】
ＡＣインレットの接続端子として、バネ性をもった材料で構成したことを特徴とする請求項１記載の充電器。
【請求項３】
ＡＣインレットの接続端子として、バネ性をもたせる屈曲部を一部に設けた金属材で構成したことを特徴とする請求項１記載の充電器。
【請求項４】
屈曲部をコイル状の巻線部としたことを特徴とする請求項３記載の充電器。
【発明の詳細な説明】
【技術分野】
【０００１】
本発明はケース内に各種電子部品を組み込んだ回路基板とケース開口部から一部表出するＡＣインレットを設けた充電器に関する。
【背景技術】
【０００２】
図３に示す通り、従来の充電器において、ＡＣインレットに内設されている接続端子は、電気的接続を目的としてＡＣインレットの背面より露出する構成になっている。その接続端子は樹脂部の背面で９０°程に折り曲げられ、接続端子の先端ははんだ付け等によって回路基板に固定されている。
【特許文献１】特開２００４−４７１４５号公報
【発明の開示】
【発明が解決しようとする課題】
【０００３】
取り付け、取り外しが可能なＡＣコードを接続するための接続器であるＡＣインレットが組み込まれた電子機器において、ＡＣインレットが搭載されている回路基板は一般的に外装ケースのボスやリブにより固定されている。そのため製品が使用される際、ＡＣコードが接続される時にＡＣインレットがこじり等により応力が加わった場合、またはＡＣコード接続中に外的要因によってＡＣインレットに強い応力が加わった場合、半田付け部にはストレスがかかる。
【０００４】
ＡＣインレットは、商用電源の入力部であり、半田付け部にストレスがかかり、導通接続が不十分となった場合は、安全性、信頼性が低下しうる課題があった。
【課題を解決するための手段】
【０００５】
前記従来の課題を解決するために、本発明のＡＣインレット構造においては、ケース内に各種電子部品を組み込んだ回路基板とケース開口部から一部表出するＡＣインレットを設けた電子機器で上記ＡＣインレットを外力によって可動できるように弾力的に取り付けたものである。
【０００６】
また、上記ＡＣインレットの接続端子として、バネ性をもった材料で構成され、上記ＡＣインレットの接続端子として、バネ性をもたせる屈曲部を一部に設けた金属材で構成する。上記屈曲部をコイル状の巻線部としたものである。
【発明の効果】
【０００７】
本発明によると、ケース内に各種電子部品を組み込んだ回路基板とＡＣインレットを設けた電子機器に関して、製品が使用される際、ＡＣコードが接続される時にＡＣインレットがこじり等により応力が加わった場合、またはＡＣコード接続中に外的要因によってＡＣインレットに強い応力が加わった場合、接続端子の半円形状部またはコイル形状部でそのストレスは低減され、接続端子のはんだ付け部に加わるストレスを低減することができ安全性、信頼性を向上させることが可能となる。
【発明を実施するための最良の形態】
【０００８】
以下、図面を参考にしながら、本発明の実施例について説明する。
（実施の形態１）
図1は、本発明の実施の形態１である。ケース内に各種電子部品を組み込んだ回路基板とケース開口部から一部表出するＡＣインレットを設けた電子機器においては、ＡＣコードの取り付け、取り外しが可能である。
【０００９】
図１（ａ）において、１はＡＣインレット、２はＡＣインレット１に内設された接続端子、３は回路基板である。ＡＣインレットとは取り付け、取り外しが可能なＡＣコードを接続するための接続器である。
【００１０】
ＡＣインレット１に内設されている接続端子２は、電気的接続を目的としてＡＣインレット１の背面より露出する構成になっている。その接続端子２の一部を回路基板上に搭載したＡＣインレットの断面図である図１（ｂ）に示す。図１（ｂ）において接続端子２は屈曲されて、接続端子２の先端ははんだ付け等によって回路基板３に固定される。回路基板３は一般的に樹脂等の外装ケースに覆われ、外装ケース内のリブ等により固定されている。図２（ａ）の従来のＡＣインレットの構造において、製品が使用される際、ＡＣコードが接続される時にＡＣインレット１１がこじり等により応力が加わった場合、またはＡＣコード接続中に外的要因によってＡＣインレット１１に強い応力が加わった場合、半田付け部にはストレスがかかる。しかしながら図１の本発明のＡＣインレット構造においては、接続端子２の屈曲部でそのストレスは低減され、接続端子２のはんだ付け部に加わるストレスを低減することができる。
（実施の形態２）
図３において、２１はＡＣインレット、２２はＡＣインレット２１に内設された接続端子、２３は回路基板である。
ＡＣインレット２１に内設されている接続端子２２は、電気的接続を目的としてＡＣインレット２１の背面より露出する構成になっている。その接続端子２２の一部を図３のように、コイル形状の巻線構造とし、接続端子２２の先端は回路基板２３にはんだ付けによって固定される。上述した図１と同様に回路基板２３は一般的に樹脂等の外装ケースに覆われ、外装ケース内のリブ等により固定されている。製品が使用される際、ＡＣコードが接続される時にＡＣインレット２１がこじり等により応力が加わった場合、またはＡＣコード接続中に外的要因によってＡＣインレット２１に強い応力が加わった場合でも、接続端子２２のコイル形状部でそのストレスは低減され、接続端子２２のはんだ付け部に加わるストレスを低減することができる。
【産業上の利用可能性】
【００１１】
本発明はＡＣインレットを組み込んだ電子機器において、安全性、信頼性を向上させるために有用である。
【図面の簡単な説明】
【００１２】
【図１】（ａ）接続端子に屈曲部を持つ本発明のＡＣインレットを回路基板に搭載した図、（ｂ）ＡＣインレットを回路基板に搭載した断面図
【図２】（ａ）接続端子にコイル形状を持つ本発明のＡＣインレットを回路基板に搭載した図、（ｂ）ＡＣインレットを回路基板に搭載した断面図
【図３】（ａ）従来のＡＣインレットを回路基板に搭載した図、（ｂ）ＡＣインレットを回路基板に搭載した断面図
【符号の説明】
【００１３】
１  ＡＣインレット
２  接続端子
３  回路基板
１１  ＡＣインレット
１２  接続端子
１３  回路基板
２１  ＡＣインレット
２２  接続端子
２３  回路基板
【図１】
2008177104.tif 000003
【図２】
2008177104.tif 000004
【図３】
2008177104.tif 000005